(57)【特許請求の範囲】
【請求項１】
コンテンツを記録する記憶装置と、外部の機器に対してデジタル形式でコンテンツを出力する出力端子とを少なくとも備えたコンテンツ再生装置において、前記出力端子を介して出力されるコンテンツが記録されている前記記憶装置の記憶領域が、第１の外部機器を接続した際に該第１の外部機器から書き換え可能な記憶領域であるか否かに応じて、当該コンテンツの著作権保護に関して異なる制御を行い、
前記第１の外部機器から書き換え可能な記憶領域に記録されたコンテンツを出力する場合、当該コンテンツの著作権保護に関し、当該コンテンツのさらなるデジタル記録を禁止する状態に設定し、一方、前記第１の外部機器からは書き換えが不可能な記憶領域に記録されたコンテンツを出力する場合、当該コンテンツの著作権保護に関し、著作権保護されたコンテンツについては既に１回デジタル記録されたコンテンツのさらなるデジタル記録を禁止する状態に設定し、著作権保護が不要なコンテンツについてはデジタル記録を許可する状態に設定するコンテンツ再生装置。
【請求項２】
コンテンツを記録する記憶装置を、物理的に別個のドライブによって分割するか、あるいは、同一のドライブを論理的に別個のパーティションとして分割することにより、前記第１の外部機器から書き換え可能な記憶領域と、前記第１の外部機器から書き換え不可能な記憶領域とに、分離して構成することを特徴とする請求項１に記載のコンテンツ再生装置。
【請求項３】
コンテンツを記録する記憶装置と、外部の機器に対してデジタル形式でコンテンツを出力する出力端子とを少なくとも備えたコンテンツ再生装置における著作権保護方法であって、前記出力端子を介して出力されるコンテンツが記録されている前記記憶装置の記憶領域が、第１の外部機器を接続した際に該第１の外部機器から書き換え可能な記憶領域であるか否かに応じて、当該コンテンツの著作権保護に関して異なる制御を行い、
前記第１の外部機器から書き換え可能な記憶領域に記録されたコンテンツを出力する場合、当該コンテンツの著作権保護に関し、当該コンテンツのさらなるデジタル記録を禁止する状態に設定し、一方、前記第１の外部機器からは書き換えが不可能な記憶領域に記録されたコンテンツを出力する場合、当該コンテンツの著作権保護に関し、著作権保護されたコンテンツについては既に１回デジタル記録されたコンテンツのさらなるデジタル記録を禁止する状態に設定し、著作権保護が不要なコンテンツについてはデジタル記録を許可する状態に設定する著作権保護方法。
【請求項４】
コンテンツを記録する記憶装置を、物理的に別個のドライブによって分割するか、あるいは、同一のドライブを論理的に別個のパーティションとして分割することにより、前記第１の外部機器から書き換え可能な記憶領域と、前記第１の外部機器から書き換え不可能な記憶領域とに、分離して構成することを特徴とする請求項３に記載の著作権保護方法。
【発明の詳細な説明】
【技術分野】
【０００１】
本発明は、コンテンツ再生装置および著作権保護方法に関する。
【背景技術】
【０００２】
従来のＤＡＴ（Digital  Audio  Tape：デジタル音声テープ）プレーヤやＭＤ（MiniDisc：ミニディスク）プレーヤのようなデジタル録音装置においては、ＳＣＭＳ（Serial  Copy  Management  System）というルール（著作権保護制御技術）に基づいて、著作権を保護しようとするデジタルデータのコピーは一回限りとする制御を行うことによって、著作権保護を図るようにしてきた。
【０００３】
つまり、ＳＣＭＳ技術においては、無制限にコピーが可能なもの、一回限りコピーが可能なもの、コピーが不可能なものを識別するように制御している。
【０００４】
一方、近年、ＨＤＤやフラッシュメモリを用いたオーディオプレーヤ（コンテンツ再生装置）が急速に広まってきている。ＨＤＤやフラッシュメモリを用いたコンテンツ再生装置においては、インターネットなどのネットワークを通じた音楽配信やＰＣ（Personal  Computer）を用いてＣＤ（Compact  Disc）からリッピングした音楽ファイルなどの再生を行うことができることが特徴となっている。これらのコンテンツについては、特許文献１の特開２００５−７８２１２号公報「情報処理装置及び情報処理方法、コンテンツ識別装置及びコンテンツ識別方法、並びにコンテンツ識別システム」や特許文献２の特開２００６−２７７７６３号公報「保護された素材の未認可のコピーのデータベースを作成する方法及び装置」のような著作権保護技術がいろいろと提案されてきている。
【０００５】
前記特許文献１や前記特許文献２において提案されている著作権保護技術は、従来のＤＡＴプレーヤやＭＤプレーヤで実現していたＳＣＭＳ規格などとは異なり、複雑な処理によって生成したキーにより暗号化を施すとともに著作権保護用の情報をコンテンツに貼り付けたものであり、インターネットやＰＣの分野で開発された専用の技術を、音楽配信やＣＤリッピングによる音楽ファイルなどに対して適用するようにしている。
【０００６】
例えば、前記特許文献１の著作権保護技術は、ＰＣ（Personal  Computer）を用いてＣＤ（Compact  Disk）からリッピングした音楽ファイルなどのコンテンツについて、記録媒体を特定する媒体識別情報と、記録した記録装置を特定する装置識別情報とを、コンテンツの付属情報として、電子透かし技術によるウォータマークの形式で記録するものである。また、前記特許文献２の技術は、インターネットなどで配信されるコンテンツに関する著作権保護技術であり、未認可であることを示す識別子を、コンテンツ中にウォータマーク等を用いて埋め込んでいるものである。
【特許文献１】特開２００５−７８２１２号公報（第８−１０頁）
【特許文献２】特開２００６−２７７７６３号公報（第８−１１頁）
【発明の開示】
【発明が解決しようとする課題】
【０００７】
ＤＡＴプレーヤやＭＤプレーヤにおいては、音声データはＰＣ上で扱うファイルとは異なる方式を用いて記録されており、かつ、前述のように、著作権管理用のフラグを、録音される音声データに追加して記録しておき、ＳＣＭＳ規格に基づく制御によって、著作権の保護機能を実現していた。
【０００８】
一方、ＨＤＤやフラッシュメモリを用いたコンテンツ再生装置においては、ＰＣとの親和性を高めるために、コンテンツを記録するファイル形式は、ＰＣにおけるファイル形式と同様のものであり、著作権保護を行うための技術としては、前記特許文献１や前記特許文献２に提案されているような技術を用いて実現しているものが多かった。これらの技術は、ＰＣからファイルを転送して再生する使い方を主体としており、従来のＤＡＴプレーヤやＭＤプレーヤのように、単独で、コンテンツを録音・再生する機器上において実現するための技術とは異なる技術であり、かなり複雑な処理を要するものであって、少なくとも、ＳＣＭＳ規格を実現するためのものではない。
【０００９】
このため、ＨＤＤやフラッシュメモリを用いたコンテンツ再生装置（プレーヤ）においても、できるだけ、シンプルで、かつ、従来のＤＡＴプレーヤやＭＤプレーヤのような使い方をしたときには、従来通り、ＳＣＭＳ規格のルールに従った動作が可能な技術が必要となってきている。
【００１０】
さらに、一般的に、ＨＤＤやフラッシュメモリによってコンテンツを記録し、かつ、ＰＣとの間やＤＡＴプレーヤやＭＤプレーヤのような他の機器との間をデジタル接続してコンテンツを送受信するために用いる光デジタル入出力端子や、ライン入出力やスピーカなどと接続するアナログ入出力端子等を装備したコンテンツ再生装置においては、著作権保護に関する制御が困難な状況になっている。
【００１１】
つまり、かくのごときコンテンツ再生装置の場合、従来のＤＡＴプレーヤやＭＤプレーヤと同様の著作権保護技術が適用されたコンテンツとＰＣなどによって全く異なる技術を用いて作成されたコンテンツとが混在してＨＤＤやフラッシュメモリに記録されているため、ＨＤＤやフラッシュメモリに記録されているコンテンツを、特に、光デジタル出力端子からＤＡＴプレーヤやＭＤプレーヤのような他の機器に対してデジタルデータとして出力する際に、該コンテンツに対するコピーの可否、著作権に関するビットの制御が困難となっている。
【００１２】
（本発明の目的）
本発明は、かかる問題を解決するためになされたものであり、ＨＤＤやフラッシュメモリを用いたコンテンツ再生装置において、ＤＡＴプレーヤやＭＤプレーヤのような他の機器との間でデジタル形式にてコンテンツをやり取りする際に、著作権保護に関してシンプルかつ容易な制御を実現可能とするコンテンツ再生装置および著作権保護方法を提供することを目的とするものである。
【００１３】
つまり、ＰＣや他の機器との間でデジタル形式にてコンテンツをやり取りするコンテンツ再生装置において、特にＤＡＴプレーヤやＭＤプレーヤのようなＳＣＭＳ規格に準拠している民生用のレコードプレーヤとの間で、例えば光デジタル入出力端子を介してコンテンツをやり取りする場合、ＰＣと接続した際に該ＰＣからの書き換えが可能なコンテンツか、あるいは、該ＰＣからの書き換えが不可能な自前の管理下にあるコンテンツかに応じて、ＳＣＭＳ規格に準拠した適切な著作権保護制御を図りつつ、コンテンツのやり取りをスムーズに実施可能とするために、やり取りするコンテンツに対してコピーの可否や著作権に関するフラグを含む動作を可能とすることを目的とするものである。
【課題を解決するための手段】
【００１４】
前述の課題を解決するため、本発明によるコンテンツ再生装置および著作権保護方法は、次のような特徴的な構成を採用している。
【００１５】
（１）コンテンツを記録する記憶装置と、外部の機器に対してデジタル形式でコンテンツを出力する出力端子とを少なくとも備えたコンテンツ再生装置において、前記出力端子を介して出力されるコンテンツが記録されている前記記憶装置の記憶領域が、第１の外部機器を接続した際に該第１の外部機器から書き換え可能な記憶領域であるか否かに応じて、当該コンテンツの著作権保護に関して異なる制御を行い、前記第１の外部機器から書き換え可能な記憶領域に記録されたコンテンツを出力する場合、当該コンテンツの著作権保護に関し、当該コンテンツのさらなるデジタル記録を禁止する状態に設定し、一方、前記第１の外部機器からは書き換えが不可能な記憶領域に記録されたコンテンツを出力する場合、当該コンテンツの著作権保護に関し、著作権保護されたコンテンツについては既に１回デジタル記録されたコンテンツのさらなるデジタル記録を禁止する状態に設定し、著作権保護が不要なコンテンツについてはデジタル記録を許可する状態に設定するコンテンツ再生装置。
（２）コンテンツを記録する記憶装置を、物理的に別個のドライブによって分割するか、あるいは、同一のドライブを論理的に別個のパーティションとして分割することにより、前記第１の外部機器から書き換え可能な記憶領域と、前記第１の外部機器から書き換え不可能な記憶領域とに、分離して構成することを特徴とする上記（１）のコンテンツ再生装置。
（３）コンテンツを記録する記憶装置と、外部の機器に対してデジタル形式でコンテンツを出力する出力端子とを少なくとも備えたコンテンツ再生装置における著作権保護方法であって、前記出力端子を介して出力されるコンテンツが記録されている前記記憶装置の記憶領域が、第１の外部機器を接続した際に該第１の外部機器から書き換え可能な記憶領域であるか否かに応じて、当該コンテンツの著作権保護に関して異なる制御を行い、前記第１の外部機器から書き換え可能な記憶領域に記録されたコンテンツを出力する場合、当該コンテンツの著作権保護に関し、当該コンテンツのさらなるデジタル記録を禁止する状態に設定し、一方、前記第１の外部機器からは書き換えが不可能な記憶領域に記録されたコンテンツを出力する場合、当該コンテンツの著作権保護に関し、著作権保護されたコンテンツについては既に１回デジタル記録されたコンテンツのさらなるデジタル記録を禁止する状態に設定し、著作権保護が不要なコンテンツについてはデジタル記録を許可する状態に設定する著作権保護方法。
（４）コンテンツを記録する記憶装置を、物理的に別個のドライブによって分割するか、あるいは、同一のドライブを論理的に別個のパーティションとして分割することにより、前記第１の外部機器から書き換え可能な記憶領域と、前記第１の外部機器から書き換え不可能な記憶領域とに、分離して構成することを特徴とする上記（３）の著作権保護方法。
【発明の効果】
【００１６】
本発明のコンテンツ再生装置および著作権保護方法によれば、以下のような効果を得ることができる。
【００１７】
コンテンツ再生装置のＨＤＤやフラッシュメモリについて、ＰＣと接続しても該ＰＣからは書き換えることができないドライブまたはパーティション上に、ＳＣＭＳ規格に準拠した著作権保護に関するファイルを配置することによって、ユーザによる著作権保護情報の改ざんを避けることができる。
【００１８】
また、コンテンツ再生装置のＨＤＤやフラッシュメモリについて、ＰＣに接続した際に該ＰＣから書き換えることができるドライブまたはパーティション上に置かれたファイルは、ＰＣから書き込まれた出所が分からないファイルが存在している場合も考慮して、光デジタル出力端子を介して再生する際に、デジタルコピーを禁止する設定にして出力することによって、著作権保護を図ることができる。
【発明を実施するための最良の形態】
【００１９】
以下、本発明によるコンテンツ再生装置および著作権保護方法の好適な実施例について添付図を参照して説明する。
【００２０】
（本発明の特徴）
本発明の実施形態の説明に先立って、本発明の特徴についてその概要をまず説明する。本発明は、ＳＣＭＳ規格に準拠した著作権保護機能付きのコンテンツ再生装置を実現するものであり、特に、ＨＤＤやフラッシュメモリを用い、入出力端子例えば光デジタル入出力端子を備えたコンテンツ再生装置において、コンテンツを記録する記憶装置の属性情報に基づいて、第１の外部機器例えばＰＣに接続した際に該第１の外部機器例えばＰＣからの書き換えが可能なコンテンツか、該第１の外部機器例えばＰＣからの書き換えが不可能なコンテンツかを簡単に識別可能とするとともに、入出力端子例えば光デジタル入出力端子を介してＤＡＴプレーヤやＭＤプレーヤのような外部の機器との間でコンテンツをやり取りする際には、当該コンテンツに対するＰＣからの書き換えの可否の識別結果に基づいて、ＳＣＭＳ規格に基づく著作権保護に関する制御を容易に実現可能とすることを特徴としている。
【００２１】
一般に、ＰＣからＵＳＢ経由などでコンテンツ再生装置に転送されてくるファイルには、著作権保護された正規のコンテンツばかりでなく、ＣＤからリッピングされたコンテンツやＰＣにより著作権管理用としては不完全に処理されたコンテンツも含まれている場合がある。また、ＰＣからコンテンツ再生装置に転送されてくるファイルは、基本的には、従来のＤＡＴプレーヤやＭＤプレーヤの場合とは異なり、ＳＣＭＳ規格には準拠しておらず、ＳＣＭＳ規格に基づく世代の管理がなされていないフォーマットのファイルが大部分である。
【００２２】
よって、ＰＣから転送されてきたファイルを記憶装置などに対して光デジタル出力端子から転送しようとしても、従来のＤＡＴプレーヤやＭＤプレーヤとの間で光デジタル出力端子を介して転送されるコンテンツに付加されているＳＣＭＳ規格準拠のフラグ制御とは異なり、ＳＣＭＳ規格の世代管理に準拠したコピー制御に関するフラグ制御に適したファイル形式とはなっていない。
【００２３】
ここで、ＳＣＭＳ規格の世代管理とは、著作権保護されたコンテンツのデジタルコピーは、子コピーとして１回のみ許可し、一度デジタルコピーされたデータから、更に２回目のコピーとなる孫コピーは禁止するものである。また、アナログ録音されたデータについても、デジタル化した後のデジタルコピーを１世代に限って許可するが、ここでデジタルコピーされたものについては、２回目以降のデジタルコピーを禁止するようにしている。
【００２４】
つまり、光デジタル出力端子から出力されるファイルに含まれている著作権保護用の制御に関するフラグには、「著作権（コピー禁止）ビット」と「世代ビット」との２つがあり、それらの組み合わせによって、ＳＣＭＳ規格が成り立っている。なお、このＳＣＭＳ規格の適用に関しては、デジタル伝送用の光ケーブルを接続する光デジタル出力端子のみならず、同軸ケーブルを接続する同軸デジタル出力端子から出力されるファイルについても、全く同様である。
【００２５】
ＳＣＭＳ規格においては、基本的に、「著作権（コピー禁止）ビット」によって著作権保護されたデータ（コピー禁止状態のデータ）については、「世代ビット」によって、さらにデジタル記録することができる状態か否かを判断するようにしている。つまり、「著作権（コピー禁止）ビット」によって著作権保護された状態で入力されたデータが、「世代ビット」によって、一度もコピーされていない１世代目のオリジナルデータであると判定された場合には、デジタル記録を行うことを許可し、一方、「世代ビット」によって、既に一度はデジタル記録がされた２世代目のデータであると判定された場合には、さらなるデジタル記録を行うことを禁止している。
【００２６】
一方、「著作権（コピー禁止）ビット」によって著作権保護されていないデータについては、コピーが許可されたデータとして、無限に繰り返して、デジタル記録を行うことができる。
【００２７】
ＳＣＭＳ規格の基本動作としては、以上のような著作権保護に関する制御が行われる。前述のように、ライン入力端子などのアナログ入力端子から入力されてくるアナログ入力によるデータに関する記録動作は、常に許可されており、アナログ記録されたデータからのデジタル記録も許可されているが、ここで、一度デジタル記録されたデータからのさらなるデジタル記録は禁止される。
【００２８】
図１は、本発明による著作権保護技術を提供するコンテンツ再生装置の外観を示す外観図であり、コンテンツを記録する記憶装置としてＨＤＤやフラッシュメモリを用いたコンテンツ再生装置の一例について、ＨＤＤ（図１にはＨＤＤ３と符号３を付して表示）を用い、かつ、光デジタル入出力端子１やアナログ入出力端子２を備えているポータブルプレーヤの場合を例にとって模式的に示している。
【００２９】
ここで、光デジタル入出力端子１は、光ケーブルを接続して、ＤＡＴプレーヤやＭＤプレーヤやＣＤプレーヤなどの他の機器との間で、著作権保護情報を付加したデジタル信号を送受信する端子であり、一方、アナログ入出力端子２は、オーディオケーブルを接続して、ヘッドホンへの出力やラインからの入力を行うアナログ信号を送受信する端子である。なお、光デジタル入出力端子１においてデジタル信号として送受信されるコンテンツに付加される著作権保護情報としては、コピーの可否、著作権に関するフラグ情報を含み、前述したような「著作権（コピー禁止）ビット」と「世代ビット」とからなるＳＣＭＳ規格に準拠したフラグを付加して出力するようにしている。さらに、ＰＣとの間の接続用としてＵＳＢ端子５を備えており、ＵＳＢ端子５経由で見えるドライブと見えないドライブとで、著作権保護の管理方法を区別するようにしている。
【００３０】
図１に示すようなＨＤＤ３によってコンテンツを記録し、かつ、ＰＣとの間で情報を送受信するために用いるＵＳＢ端子や、他の外部機器との間をデジタル接続してコンテンツを送受信するために用いる光デジタル入出力端子、ライン入出力やスピーカなどと接続するアナログ入出力端子等を装備したコンテンツ再生装置であっても、従来のコンテンツ再生装置の場合とは異なり、本発明においては、著作権保護に関する制御をシンプルかつ容易に実現している。
【００３１】
つまり、図１に示す本発明によるコンテンツ再生装置においては、たとえ、ＰＣなどによって作成されたコンテンツと従来のＤＡＴプレーヤやＭＤプレーヤなどと同様の著作権保護技術が適用されたコンテンツとの双方が、ＨＤＤ３（あるいはフラッシュメモリ）に記録されていたとしても、ＨＤＤ３（あるいはフラッシュメモリ）に記録する記憶領域を、ＰＣと接続した際に、該ＰＣからの書き換えが可能な領域と、該ＰＣからの書き換えが不可能な領域とに、物理的にあるいは論理的に分割することによって、ＨＤＤ３（あるいはフラッシュメモリ）に記録されているコンテンツを、光デジタル出力端子からＰＣや他の機器に出力する際に、該コンテンツに対する著作権保護に関する制御をシンプルかつ容易に行うことを可能としている。
【００３２】
例えば、図１に示す本発明によるコンテンツ再生装置に備えられるＨＤＤ３（あるいはフラッシュメモリ）を、図２に示すように、複数のドライブまたは複数のパーティションに分割された構成とする。図２は、本発明によるコンテンツ再生装置のコンテンツ記録用記憶装置の構成例を示す模式図であり、コンテンツ記録用記憶装置として、ＨＤＤドライブを用いる場合について例示している。なお、本発明においては、該コンテンツ記録用記憶装置を、ＨＤＤドライブのみならず、フラッシュメモリを用いて構成するようにしても良い。
【００３３】
ここで、図１に示すＨＤＤ３は、図２（Ａ）に示すように、物理的に複数のドライブに分割されたＨＤＤドライブか、あるいは、図２（Ｂ）に示すように、論理的に複数のパーティションに分割されたＨＤＤドライブか、のいずれかから構成されている。つまり、図２（Ａ）に示す例では、第１ＨＤＤ３ａと第２ＨＤＤ３ｂとの２つの物理的なＨＤＤドライブを備えており、それぞれのドライブ名がドライブＸ、ドライブＹとされている。一方、図２（Ｂ）に示す例においては、物理的には１つのＨＤＤ４のみによって構成されているが、第１パーティション４ａと第２パーティション４ｂとの２つに論理的に分割されたＨＤＤドライブを備えており、それぞれのドライブ名がドライブＸ、ドライブＹとされている。
【００３４】
図１に示すＨＤＤ３は、図２に示す各ドライブまたは各パーティションごとに、記録されるコンテンツに関する著作権保護機能（つまりコピー制御機能）を異なる状態で付与することができる。例えば、図２において、ＰＣと接続した際に、ドライブＸが、ＰＣから読み書きすることができる（すなわちＰＣからの書き換えが可能な）ドライブであり、ドライブＹが、ＰＣからアクセスできないか、あるいは、読み出し専用の（すなわちＰＣからは書き換えが不可能な）ドライブであるものとして、それぞれについて最適な著作権保護機能（つまりコピー制御機能）を設定する。
【００３５】
つまり、本発明においては、従来のＨＤＤプレーヤやフラッシュメモリプレーヤと同様に、ＰＣからの読み書きが自由な（すなわちＰＣからの書き換えが可能な）ドライブまたはパーティションであるか、あるいは、コンテンツ再生装置本体でのみ書き込みが可能であって、ＰＣからはアクセスが不可能なドライブまたはパーティションであるか、つまり、コンテンツ再生装置本体でのみアクセスが可能な（すなわちＰＣからは書き換えが不可能な）ドライブまたはパーティションであるか、あるいは、コンテンツ再生装置本体でのみ書き込み可能であって、ＰＣからは読み取りのみが可能な（すなわちＰＣからは書き換えが不可能な）ドライブまたはパーティションであるか、のいずれかの属性を、各ドライブまたはパーティションごとに、付与する。
【００３６】
かくのごとく、コンテンツ記録用の記憶領域の属性を設定することによって、光デジタル出力端子からデジタル形式でコンテンツを出力する際に、出力するコンテンツが、ＰＣからの書き換えが可能なドライブまたはパーティションに記録されているコンテンツか、あるいは、ＰＣからは書き換えが不可能なドライブまたはパーティションに記録されているコンテンツか、に応じて、ＳＣＭＳ規格に準拠したコピー制御用のフラグの設定状態を切り替えるように制御する。
【００３７】
すなわち、コンテンツ再生装置のＨＤＤやフラッシュメモリについて、ＰＣから読み書きが自由な（つまりＰＣからの書き換えが可能な）ドライブまたはパーティションに保存されているファイルを、光デジタル出力端子を介して再生する場合、光デジタル出力端子から出力されるファイルに関しては、ＳＣＭＳ規格に準拠する著作権保護用のフラグが設定されており、かつ、当該フラグの「著作権（コピー禁止）ビット」と「世代ビット」とによって、さらなるデジタル録音が不可能な状態に設定し、さらなるコピーを禁止するように設定しておく。これにより、ＰＣから書き込まれた場合のように出所の分からないファイルのさらなるデジタルコピーを避けることができる。
【００３８】
一方、コンテンツ再生装置のＨＤＤやフラッシュメモリについて、ＰＣから自由に読み書きすることができない（つまりＰＣからは書き換えが不可能な）ドライブまたはパーティションに保存されているファイルは、アナログ録音されたファイルか、または、デジタル録音されたファイルかを示す記録方式識別子を管理するための記録方式管理ファイルを用意している。該記録方式管理ファイルを参照することによって、再生時のデジタル信号出力に対してＳＣＭＳ規格に準拠した著作権保護機能によるコピー制御が可能となる。ＰＣから自由に読み書きすることができないコンテンツ再生装置のドライブまたはパーティションに保存されているファイルは、すべて、当該コンテンツ再生装置本体によって自己記録されたものであるので、出所の管理（デジタル記録またはアナログ記録されたコンテンツ履歴の管理）を確実に行うことができ、前記記録方式管理ファイルには正確な記録方式を保存することができる。したがって、該記録方式管理ファイルを参照することによって、ＳＣＭＳ規格に定められた著作権保護に関する管理を行うことが可能となる。
【００３９】
（本実施例の効果の説明）
コンテンツ再生装置のＨＤＤやフラッシュメモリについて、ＰＣと接続しても該ＰＣからは書き換えることができないドライブまたはパーティション上に、ＳＣＭＳ規格に準拠した著作権保護に関するファイルを配置することによって、ユーザによる著作権保護情報の改ざんを避けることができる。
【００４０】
また、コンテンツ再生装置のＨＤＤやフラッシュメモリについて、ＰＣに接続した際に該ＰＣから書き換えることができるドライブまたはパーティション上に置かれたファイルは、ＰＣから書き込まれた出所が分からないファイルが存在している場合も考慮して、光デジタル出力端子を介して再生する際に、デジタルコピーを禁止する設定にして出力することによって、著作権保護を図ることができる。
【００４１】
さらに、当該コンテンツ再生装置とＰＣとの接続を行う場合、ＰＣを∪ＳＢなどの汎用的なインターフェイスによって当該コンテンツ再生装置に接続することにより、ＰＣからは当該コンテンツ再生装置をマスストレージ機器として使用することができる一方、従来のＤＡＴプレーヤやＭＤプレーヤとは、光デジタルインターフェイス等によって接続することができ、かつ、ＳＣＭＳ規格に基づいたデジタルコピーにも対応することが可能となる。
【００４２】
ここで、本発明は、前述のように、コンテンツ再生装置のＨＤＤやフラッシュメモリについて、前述のように、ドライブまたはパーティションを複数用意し、ＰＣからの読み書きが自由な（すなわちＰＣからの書き換えが可能な）ドライブまたはパーティションと、ＰＣからアクセス不能または読み込みのみが許可された（すなわちＰＣからは書き換えが不可能な）ドライブまたはパーティションとの、２種類に分けて構成するようにしている。一般的に、著作権保護のためには、ＰＣからのアクセス不能または読み込みのみを許可した（すなわちＰＣからは書き換えが不可能な）ドライブまたはパーティションとすることが、より有効であるが、現行のＨＤＤプレーヤやフラッシュメモリプレーヤにおいては、当該プレーヤによって録音した録音ファイルを、ＰＣ側に一旦転送して、ＰＣによって編集作業を行うことができるものが普及してきている。このため、本発明においても、ＰＣからの読み書きが自由な（すなわちＰＣからの書き換えが可能な）ドライブまたはパーティションをも合わせて備えたコンテンツ再生装置として構成している。
【００４３】
なお、前述したように、デジタル出力は、光デジタル出力端子から行うことが最も一般的であるが、同軸デジタル出力端子なども存在し、同軸デジタル出力端子を有するコンテンツ再生装置であっても、当然、前述した著作権保護機能をそのまま適用することが可能である。
【００４４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４５】
【図１】本発明による著作権保護技術を提供するコンテンツ再生装置の外観を示す外観図である。
【図２】本発明によるコンテンツ再生装置のコンテンツ記録用記憶装置の構成例を示す模式図である。
【符号の説明】
【００４６】
１      光デジタル入出力端子
２      アナログ入出力端子
３      ＨＤＤ
３ａ    第１ＨＤＤ（ドライブＸ）
３ｂ    第２ＨＤＤ（ドライブＹ）
４      ＨＤＤ
４ａ    第１パーティション（ドライブＸ）
４ｂ    第２パーティション（ドライブＹ）
５      ＵＳＢ端子
【図１】
0005012490.tif 000002
【図２】
0005012490.tif 000003